(57)【要約】【課題】見映えがよく、安全性にも優れた薄型表示装置の転倒防止装置を実現すること。【解決手段】薄型の表示部と該表示部を支えるスタンド部とを備えた薄型表示装置のための転倒防止装置において、スタンド部の裏面側に形成した凹部と、該凹部内に設けた表示装置側係止部と、薄型表示装置が載置される載置台部材上に固定的に配置された載置台側係止部とを有し、凹部内に収納された載置台側係止部と表示装置側係止部とを、表示装置側係止部が載置台側係止部に対して上方への変位が阻止されるように係合する。【選択図】図５
2008003478.tif 000002
【特許請求の範囲】
【請求項１】
薄型の表示部と該表示部を支えるスタンド部とを備えた薄型表示装置のための転倒防止装置であって、
前記スタンド部の裏面側に形成した凹部と、該凹部内に設けた表示装置側係止部と、前記薄型表示装置が載置される載置台部材上に固定的に配置された載置台側係止部とを有し、
前記凹部内に収納された前記載置台側係止部と、前記表示装置側係止部とを、係合したことを特徴とする薄型表示装置の転倒防止装置。
【請求項２】
請求項１に記載の薄型表示装置の転倒防止装置において、
前記表示装置側係止部は、前記載置台側係止部に対して上方への変位が阻止されるように係合されることを特徴とする薄型表示装置の転倒防止装置。
【請求項３】
請求項２に記載の薄型表示装置の転倒防止装置において、
前記した係合状態では、前記載置台側係止部の一部の下側に、前記表示装置側係止部の少なくとも一部が位置することを特徴とする薄型表示装置の転倒防止装置。
【請求項４】
請求項２または３に記載の薄型表示装置の転倒防止装置において、
前記凹部内に前記載置台側係止部が前記表示装置側係止部と干渉することなく収納された状態で、前記薄型表示装置を水平回転させることで、前記載置台側係止部に前記表示装置側係止部が係合されることを特徴とする薄型表示装置の転倒防止装置。
【請求項５】
請求項２または３に記載の薄型表示装置の転倒防止装置において、
前記凹部内に前記載置台側係止部が前記表示装置側係止部と干渉することなく収納された状態で、前記薄型表示装置を水平にスライドさせることで、前記載置台側係止部に前記表示装置側係止部が係合されることを特徴とする薄型表示装置の転倒防止装置。
【請求項６】
請求項１乃至５の何れか１項に記載の薄型表示装置の転倒防止装置において、
前記載置台側係止部は、任意の前記載置台部材上に固定的に配置可能であることを特徴とする薄型表示装置の転倒防止装置。
【請求項７】
請求項１乃至５の何れか１項に記載の薄型表示装置の転倒防止装置において、
前記載置台側係止部は、前記載置台部材から取り外し可能なように、前記載置台部材上に固定的に配置されることを特徴とする薄型表示装置の転倒防止装置。
【請求項８】
請求項１乃至７の何れか１項に記載の薄型表示装置の転倒防止装置において、
前記スタンド部は、前記表示部を支える脚部と、該脚部の下端側を保持した基座部とで構成され、前記凹部と前記表示装置側係止部とは、前記基座部の形状の如何にかかわらず、前記スタンド部の裏面側に配置可能であることを特徴とする薄型表示装置の転倒防止装置。
【発明の詳細な説明】
【技術分野】
【０００１】
本発明は、液晶ディスプレイやプラズマディスプレイなどの薄型のディスプレイを用いた、薄型テレビジョン装置や薄型モニタ装置などの薄型表示装置の転倒防止装置に関する。
【背景技術】
【０００２】
液晶ディスプレイやプラズマディスプレイなどの薄型のディスプレイ用いた薄型表示装置は、薄型の表示部と該表示部を支えるスタンド部とで構成されることが多く、スタンド部は、表示部を支える脚部と、該脚部の下端側を保持した基座部（平板状の載置ベース部）とで構成されており、脚部と基座部とは別部材で構成されていたり、脚部と基座部とは一体物で構成されていたりする。
【０００３】
これらの薄型表示装置は、ＣＲＴ（ブラウン管）表示装置と較べると、その構造上、パネル面の前方側または背面側へ転倒しやすい。また、一般的に、薄型表示装置は、システムラックやテレビ台などに載置されることが多く、振動や衝撃によって薄型表示装置がパネル面前方側へ転倒すれば、パネルが破損するだけでなく、薄型表示装置が人に衝突することや、あるいは、破損したガラスの破片により、人が怪我をする危険性がある。
【０００４】
テレビジョン受像機の転倒防止に関しては、従来においても様々な技術が開発されている。たとえば、テレビジョン受像機の背面下部側にツバ部を設け、ラック（載置台部材）側にツバ部と嵌合する嵌合形状を設けて、ツバ部を嵌合形状に嵌め込むことで、転倒防止を図るようにした技術（特許文献１の実施の形態１参照）や、ラック（載置台部材）側に２つの回転リブを設けて、この回転リブに嵌り合う構造部（ツバなど）をテレビジョン受像機の裏面側に設けて、回転リブに上記の構造部を係合させることで、転倒防止を図るようにした技術（特許文献１の実施の形態２参照）が、提案されている。また、テレビジョン受像機の背面下部側にＴＶ側構造体（連結治具の一部が係止可能な構造部）を設け、このＴＶ側構造体に係合させた連結治具を、ボルト・ナットによりラック（載置台部材）に取り付けることによって、転倒防止を図るようにした技術（特許文献２）も、提案されている。
【０００５】
また、薄型表示装置の転倒防止に関しては、パソコンの表示装置（薄型表示装置）のスタンド部における基座部の周縁の複数箇所のそれぞれを、第１、第２のＬ形金具で挟み込むとともに、第１、第２のＬ形金具同士を固定し、このＬ形金具の一方を設置面（卓上面）に固着することで、転倒防止を図るようにした技術（特許文献３）が、提案されている。
【特許文献１】特開２００４−３０４２１３号公報
【特許文献２】実公平６−２３７５号公報
【特許文献３】特開２００５−２３６２４０号公報
【発明の開示】
【発明が解決しようとする課題】
【０００６】
しかしながら、特許文献１の実施の形態１、特許文献２、特許文献３に開示されたような転倒防止の手法では、転倒防止のための構造が外部に露出するので、見映えを悪くして外観性を損なうという問題がある。
【０００７】
また、特許文献１の実施の形態２に開示された転倒防止の手法においては、転倒防止のための構造をテレビジョン受像機の下部で覆うので、見映えのよいものとなるが、特許文献１の実施の形態２による手法では、テレビジョン受像機を上方に持ち上げると係合状態が自動的に解除される構造となっているので、換言するなら、テレビジョン受像機に下側から突き上げるような衝撃力（たとえば、直下型地震による衝撃力）が加わると、係合状態が解除されるような構造となっているので、テレビジョン受像機の載置台部材からの脱落防止対策としては、万全のものではないという問題がある。
【０００８】
本発明は上記の点に鑑みなされたもので、その目的とするところは、転倒防止のための構造を外部に露出させない外観性のよい転倒防止装置とするとともに、薄型表示装置に下側から突き上げるような衝撃力が加わっても、薄型表示装置が載置台部材から外れる虞のない、安全性に優れた転倒防止装置を実現することにある。
【課題を解決するための手段】
【０００９】
上記した目的を達成するため、本願による、薄型の表示部と該表示部を支えるスタンド部とを備えた薄型表示装置のための転倒防止装置の、１つの発明では、スタンド部の裏面側に形成した凹部と、該凹部内に設けた表示装置側係止部と、薄型表示装置が載置される載置台部材上に固定的に配置された載置台側係止部とを有し、凹部内に収納された載置台側係止部と表示装置側係止部とを、表示装置側係止部が載置台側係止部に対して上方への変位が阻止されるように、係合した構成をとる。  
また、凹部内に載置台側係止部が表示装置側係止部と干渉することなく収納された状態で、薄型表示装置を水平回転させることあるいは水平にスライドさせることで、載置台側係止部に表示装置側係止部が係合されるように、構成する。  
また、スタンド部は、表示部を支える脚部と、該脚部の下端側を保持した基座部とで構成され、凹部と表示装置側係止部とは、基座部の形状の如何にかかわらず、スタンド部の裏面側に配置可能であるように、構成する。
【発明の効果】
【００１０】
本発明によれば、薄型表示装置のスタンド部の裏面側に形成した凹部内において、載置台側係止部に表示装置側係止部に係合するようにしているので、転倒防止のための構造が覆い隠され、見映え（外観性）のよいものとなる。また、係合状態では、表示装置側係止部が載置台側係止部に対して上方への変位が阻止されるようにしているので、薄型表示装置に下側から突き上げるような衝撃力が加わっても、表示装置側係止部が載置台側係止部から外れる虞のない、すなわち、薄型表示装置が載置台部材から外れる虞のない、安全性に優れた転倒防止装置を実現するができる。  
また、薄型表示装置を水平回転させることあるいは水平にスライドさせることで、載置台側係止部に表示装置側係止部が係合されるので、係合および係合解除が簡単・容易で、手軽に薄型表示装置の設置個所を変更することができる。  
また、表示部を支える脚部と該脚部の下端側を保持した基座部とで構成されるスタンド部は、その基座部の形状の如何にかかわらず、凹部と表示装置側係止部とをスタンド部の裏面側に配置可能であるようにしているので、基座部のデザインや設置形状の自由度が高まる。
【発明を実施するための最良の形態】
【００１１】
以下、本発明の実施の形態を、図面を用いて説明する。
【００１２】
＜第１実施形態＞
図１〜図５は、本発明の第１実施形態による薄型表示装置の転倒防止装置に係り、図１は、薄型表示装置およびシステムラックの外観を示す斜視図である。
【００１３】
図１において、１は、液晶ディスプレイやプラズマディスプレイなどの薄型のディスプレイ用いた薄型テレビジョン装置や薄型モニタ装置などの薄型表示装置、２は、薄型表示装置１の薄型の表示部、３は、表示部２を支える薄型表示装置１のスタンド部であり、スタンド部３は、表示部２を支える脚部４と、脚部４の下端側を保持した基座部（平板状の載置ベース部）５とで構成されている。また、６は、薄型表示装置１を載置したシステムラック、６ａはシステムラック６の上板（天板）であり、ここでは、システムラック６を載置台部材の１例として挙げているが、載置台部材としては、システムラック６以外にも、テレビ台、机、テーブルなど適宜のものが適用可能である。
【００１４】
なお、図１では示されていないが、スタンド部３の裏面側には、基座部５から脚部４の下部にかかる凹部（空洞部）が形成されていて、この凹部内には表示装置側係止部としての係止用突部が設けられている。また、同じく図１では示されていないが、システムラック６上には、載置台側係止部としての係止用金具が固定されている。
【００１５】
図２は、スタンド部３の裏面側の凹部内に、係止用金具が係止用突部と干渉することなく収納された状態を示す要部切断平面図、図３は、図２の状態の要部切断側面図、図４は、スタンド部３の裏面側の凹部内において、係止用金具に係止用突部が係合された状態を示す要部切断平面図、図５は、図４の状態の要部切断側面図である。
【００１６】
図２〜図５において、７は、スタンド部３の裏面側に、基座部５から脚部４の下部にかけて形成された断面円形の凹部（空洞部）、８は、凹部７内に設けられた１対の係止用突部（表示装置側係止部）、９は、システムラック６の上板（天板）６ａ上に固定された係止用金具（載置台側係止部）である。
【００１７】
本第１実施形態では、上記の凹部７を、脚部４の下部に対応するスタンド部３の裏面側の部位に形成して、この凹部７内に係止用突部（表示装置側係止部）８を設けているので、凹部７および係止用突部８を、スタンド部３の基座部５の形状の如何を問わず、スタンド部３の裏面側に必ず配置できるようにしてある。このようにすることで、スタンド部３のデザインや配置形状に制約を受けないようにすることができる（なお、このことは、以下の第２実施形態においても、同様である）。
【００１８】
係止用金具９は、取り付け部９ａと、取り付け部９ａの両端からそれぞれ垂直に立ち上がった立ち上げ部９ｂと、各立ち上げ部９ｂからそれぞれ外方に水平に延出した１対の係止片部９ｃとを有しており、取り付け部９ａが上板６ａ上に固定されている。取り付け部９ａの上板６ａへの固定手法は、ネジ止め、接着剤、両面接着テープなど適宜の手法が採用可能であるが、上板６ａからの係止用金具９の取り外しを容易にするためには、止めネジや、ボルト／ナットを用いる手法を採用することが望ましい。このように、止めネジや、ボルト／ナットを用いて係止用金具９を載置台部材に固定的に取り付けるようにすると、係止用金具９を載置台部材から簡単に取り外すことができ、取り外した係止用金具９を他の載置台部材上に固定的に取り付けることが容易に行える。
【００１９】
係止用突部８は、スタンド部３の下部と一体に成形されたり、スタンド部３の下部に固設されることで、スタンド部３の下部と一体化されている。この係止用突部８は、凹部７内に係止用金具９が係止用突部８と干渉（当接）することなく入り込むことが可能なような形状と配置をとっている。また、係止用突部８の上面の高さは、係止用金具９の係止片部９ｃの下面とほぼ同一高さに設定されている。
【００２０】
係止用金具９を設置したシステムラック６（システムラック６の上板６ａ上に薄型表示装置１を載置し、薄型表示装置１を転倒防止状態とするには、まず、係止用金具９が係止用突部８と干渉することなく凹部７内に収納されるように、係止用金具９に対してスタンド部３を位置合わせして、薄型表示装置１をシステムラック６上に載置する。この状態が、図２、図３に示した状態である。
【００２１】
次に、図２、図３に示した状態から、薄型表示装置１を９０°だけ水平回転させ（時計回り方向または反時計回り方向に９０°だけ水平回転させ）、係止用金具９の係止片部９ｃに係止用突部８を係合させる。図４、図５は、この係合状態を示している。図４、図５に示した係合状態では、係止用金具９の係止片部９ｃの下側に係止用突部８の大部分が入り込み、これにより、係止用突部８は係止用金具９によって上方への変位を阻止された状態、すなわち、薄型表示装置１はシステムラック６からの浮き上がりを阻止された状態となり、振動や衝撃などで薄型表示装置１が転倒することを確実に防止することができる。
【００２２】
図４、図５に示した状態から、薄型表示装置１をシステムラック６から外して、薄型表示装置１の設置個所を変更する際には、薄型表示装置１を９０°だけ水平回転させて、係止用突部８と係止用金具９の係合状態を解除し、然る後、薄型表示装置１を垂直に持ち上げて、システムラック６上から薄型表示装置１を取り去り、薄型表示装置１を所望する設置個所へと持ち運ぶ。持ち運んだ所望する設置個所に既に係止用金具９が取り付けられている場合には、前述したようにして、係止用金具９に薄型表示装置１の係止用突部８を係合し、転倒防止対策を施して薄型表示装置１を設置する。このように、係止用金具９をあらかじめ複数の載置台部材の上に設置してさえおけば、薄型表示装置１の設置個所を変更して転倒防止状態とするための作業は、極めて簡単・容易なものとなり、薄型表示装置１の設置個所の変更を手軽に行えることとなる。
【００２３】
なお、持ち運んだ所望する設置個所に係止用金具９が取り付けられていないが、転倒防止対策を施して薄型表示装置１を設置したい場合には、前の設置個所から取り外した係止用金具を新たな設置個所に固定し、係止用金具９に薄型表示装置１の係止用突部８を係合して、薄型表示装置１を設置する。
【００２４】
なおまた、本第１実施形態では、係止用突部８はスタンド部３の裏面側の凹部７内に設けられており、スタンド部３の裏面側には出っ張る部分がないので、薄型表示装置１は、係止用金具９が取り付けられていない載置台部材上や床面などにも、支障なく載置することができるので、転倒防止のための構造がない従来の薄型表示装置と同等の設置も可能となっている。
【００２５】
ここで、上述した本第１実施形態の具体例では、係止用突部８の数を２とし、係止用金具９の数を１として、係止用金具９に設ける係止片部９ｃの数を２としているが、係止用突部の数や係止用金具の数、あるいは係止用金具に設ける係止片部の数、およびそれらの形状は任意であり、要は、薄型表示装置１を回転させることで係止用突部が係止金具に対して、係合／係合解除する構成であれば、任意の構成が採用可能である。
【００２６】
＜第２実施形態＞
次に、本発明の第２実施形態に係る薄型表示装置の転倒防止装置を、図６〜図８を用いて説明する。本第２実施形態は、係止用金具に対する係止用突部の係合および係合解除を、薄型表示装置１の水平方向のスライド移動で行うようにしたものである。
【００２７】
本第２実施形態の薄型表示装置１も、図１に示した薄型表示装置１と同様の外観構成をとり、スタンド部３の裏面側に形成した凹部の形状および凹部内に設けた係止用突部（表示装置側係止部）の構成が、前記第１実施形態と異なる。また、本第２実施形態においても、載置台部材としてはシステムラック６を例にとっており、システムラック６の上板（天板）６ａ上に固定される係止用金具（載置台側係止部）の構成が、前記第１実施形態と異なる。
【００２８】
図６は、スタンド部３の裏面側の凹部内に、係止用金具が係止用突部と干渉することなく収納された状態を示す要部切断平面図、図７は、スタンド部３の裏面側の凹部内において、係止用金具に係止用突部が係合された状態を示す要部切断平面図、図８は、図７の状態の要部切断側面図である。
【００２９】
図６〜図８において、１１は、スタンド部３の裏面側に、基座部５から脚部４の下部にかけて形成された断面矩形の凹部（空洞部）、１２は、凹部１１内において対向する壁面にそれぞれ所定間隔をおいて３つずつ、計６つ設けられた係止用突部（表示装置側係止部）、１３は、システムラック６の上板（天板）６ａ上に固定された係止用金具（載置台側係止部）である。
【００３０】
係止用金具１３は、取り付け部１３ａと、取り付け部９ａの両端からそれぞれ垂直に立ち上がった立ち上げ部１３ｂと、各立ち上げ部１３ｂからそれぞれ２つずつ外方に水平に延出した、計４つの係止片部１３ｃとを有しており、取り付け部１３ａが上板６ａ上に固定されている。取り付け部１３ａの上板６ａへの固定手法は、先と同様に、ネジ止め、接着剤、両面接着テープなど適宜の手法が採用可能であるが、先にも述べたように、上板６ａからの係止用金具１３の取り外しを容易にするためには、止めネジや、ボルト／ナットを用いる手法を採用することが望ましい。このように、止めネジや、ボルト／ナットを用いて係止用金具１３を載置台部材に固定的に取り付けるようにすると、係止用金具１３を載置台部材から簡単に取り外すことができ、取り外した係止用金具１３を他の載置台部材上に固定的に取り付けることが容易に行える。
【００３１】
係止用突部１２は、スタンド部３の下部と一体に成形されたり、スタンド部３の下部に固設されることで、スタンド部３の下部と一体化されている。この係止用突部１２は、凹部１１内に係止用金具１３が係止用突部１２と干渉（当接）することなく入り込むことが可能なような形状と配置をとっている。また、係止用突部１２の上面の高さは、係止用金具１３の係止片部１３ｃの下面とほぼ同一高さに設定されている。
【００３２】
係止用金具１３を設置したシステムラック６（システムラック６の上板６ａ）上に薄型表示装置１を載置し、薄型表示装置１を転倒防止状態とするには、まず、係止用金具１３が係止用突部１２と干渉することなく凹部１１内に収納されるように、係止用金具１３に対してスタンド部３を位置合わせして、薄型表示装置１をシステムラック６上に載置する。この状態が、図６に示した状態である。
【００３３】
次に、図６に示した状態から、薄型表示装置１を水平にスライドさせ（図６において上方または下方にスライドさせ）、係止用金具１３の係止片部１３ｃに係止用突部１２を係合させる。図７、図８は、この係合状態を示している。図７、図８に示した係合状態では、係止用金具１３の４つの係止片部１３ｃの下側に４つの係止用突部１２が入り込み、これにより、係止用突部１２は係止用金具１３によって上方への変位を阻止された状態、すなわち、薄型表示装置１はシステムラック６からの浮き上がりを阻止された状態となり、振動や衝撃などで薄型表示装置１が転倒することを確実に防止することができる。
【００３４】
図７、図８に示した状態から、薄型表示装置１をシステムラック６から外して、薄型表示装置１の設置個所を変更する際には、薄型表示装置１を水平にスライドさせて、係止用突部１２と係止用金具１３の係合状態を解除し、然る後、薄型表示装置１を垂直に持ち上げて、システムラック６上から薄型表示装置１を取り去り、薄型表示装置１を所望する設置個所へと持ち運ぶ。持ち運んだ所望する設置個所に既に係止用金具１３が取り付けられている場合には、前述したようにして、係止用金具１３に薄型表示装置１の係止用突部１２を係合し、転倒防止対策を施して薄型表示装置１を設置する。このように、係止用金具１３をあらかじめ複数の載置台部材の上に設置してさえおけば、薄型表示装置１の設置個所を変更して転倒防止状態とするための作業は、極めて簡単・容易なものとなり、薄型表示装置１の設置個所の変更を手軽に行えることとなる。
【００３５】
なお、持ち運んだ所望する設置個所に係止用金具１３が取り付けられていないが、転倒防止対策を施して薄型表示装置１を設置したい場合には、前の設置個所から取り外した係止用金具を新たな設置個所に固定し、係止用金具１３に薄型表示装置１の係止用突部１２を係合して、薄型表示装置１を設置する。
【００３６】
なおまた、本第２実施形態においても、係止用突部１２はスタンド部３の裏面側の凹部１１内に設けられており、スタンド部３の裏面側には出っ張る部分がないので、薄型表示装置１は、係止用金具１３が取り付けられていない載置台部材上や床面などにも、支障なく載置することができるので、転倒防止のための構造がない従来の薄型表示装置と同等の設置も可能となっている。
【００３７】
ここで、上述した本第２実施形態の具体例では、係止用突部１２の数を６とし、係止用金具１３の数を１として、係止用金具１３に設ける係止片部１３ｃの数を４としているが、係止用突部の数や係止用金具の数、あるいは係止用金具に設ける係止片部の数、およびそれらの形状は任意であり、要は、薄型表示装置１をスライドさせることで係止用突部が係止金具に対して、係合／係合解除する構成であれば、任意の構成が採用可能である。
【図面の簡単な説明】
【００３８】
【図１】本発明の各実施形態において適用される薄型表示装置およびシステムラックの外観を示す斜視図である。
【図２】本発明の第１実施形態に係る薄型表示装置の転倒防止装置における、スタンド部の裏面側の凹部内に係止用金具が係止用突部と干渉することなく収納された状態を示す要部切断平面図である。
【図３】図２の状態の要部切断側面図である。
【図４】本発明の第１実施形態に係る薄型表示装置の転倒防止装置における、スタンド部の裏面側の凹部内において係止用金具に係止用突部が係合された状態を示す要部切断平面図である。
【図５】図４の状態の要部切断側面図である。
【図６】本発明の第２実施形態に係る薄型表示装置の転倒防止装置における、スタンド部の裏面側の凹部内に係止用金具が係止用突部と干渉することなく収納された状態を示す要部切断平面図である。
【図７】本発明の第２実施形態に係る薄型表示装置の転倒防止装置における、スタンド部の裏面側の凹部内において係止用金具に係止用突部が係合された状態を示す要部切断平面図である。
【図８】図７の状態の要部切断側面図である。
【符号の説明】
【００３９】
１  薄型表示装置
２  表示部
３  スタンド部
４  脚部
５  基座部
６  システムラック（載置台部材）
６ａ  上板（天板）
７  凹部（空洞部）
８  係止用突部（表示装置側係止部）
９  係止用金具（載置台側係止部）
９ａ  取り付け部
９ｂ  立ち上げ部
９ｃ  係止片部
１１  凹部（空洞部）
１２  係止用突部（表示装置側係止部）
１３  係止用金具（載置台側係止部）
１３ａ  取り付け部
１３ｂ  立ち上げ部
１３ｃ  係止片部
【図１】
2008003478.tif 000003
【図２】
2008003478.tif 000004
【図３】
2008003478.tif 000005
【図４】
2008003478.tif 000006
【図５】
2008003478.tif 000007
【図６】
2008003478.tif 000008
【図７】
2008003478.tif 000009
【図８】
2008003478.tif 000010